(57)【特許請求の範囲】
【請求項１】
ハーフミラーと、表示すべき情報を生成する演算処理部と、この演算処理部からの情報を前記ハーフミラーを通して表示する表示部と、前記ハーフミラーを背面から覆う遮光手段とを備え、前記演算処理部は、背景を黒色又は暗色とし、生成した情報を白色又は前記背景の色に対して明色で表示する情報表示システムであって、
体重計を備え、
前記演算処理部は、前記体重計から入力する体重データによって、前記表示部へ表示すべき情報を変更可能であることを特徴とする情報表示システム。
【請求項２】
前記表示部下側の左右端から略中央位置に人感センサを備えると共に、前記表示部の左右側に操作指示を検知する操作センサを備え、前記演算処理部は、前記人感センサからのデータによって人の存在を検知すると前記表示部への表示出力を実行し、前記操作センサからの入力に基づいて画面の遷移を実行することを特徴とする請求項１記載の情報表示システム。
【発明の詳細な説明】
【技術分野】
【０００１】
本発明は、洗面化粧台等に適用される情報表示システムに関する。
【背景技術】
【０００２】
従来、鏡（ハーフミラー）を備える洗面台に健康管理情報その他の情報を表示するシステムが提案されている。このシステムは、概略、ハーフミラーと、ハーフミラーを通して情報を表示する液晶ディスプレイ等の表示部と、体重計や血圧計などの生体データ計測装置と、これらのデータを記憶する記憶部とを備えた構成になっている。（例えば、特許文献１参照。）
【０００３】
インターネットなどの通信技術が発達した今日では、表示部へは、通信網を介して外部のサーバ（以下、外部装置という）から取得できる多種多様な情報を表示部へ出力して、ユーザの利便性を向上させることが考えられる。
【０００４】
しかしながら、洗面台等に適用される情報表示システムでは、マウスやキーボード等を用いて操作するパーソナルコンピュータのようなユーザインタフェースによって操作することは甚だ面倒となる。
【０００５】
また、ユーザにとって見やすい文字サイズを維持しながら画面の表示量を多くしようとすると、表示部の面積を大きくする必要がある。しかし、表示部を大きくすると、ハーフミラーの歪みによる縞模様（グレア）が目立つようになる。
【先行技術文献】
【特許文献】
【０００６】
【特許文献１】特許第２７３１０７２号公報
【発明の概要】
【発明が解決しようとする課題】
【０００７】
本発明はかかる従来の事情に対処してなされたものであり、ハーフミラーに情報を浮かび上がらせて表示する情報表示システムにおいて、操作性よく情報の入力や表示情報の切替を行うことができ、また、情報量が増えても鏡の縞模様が目立たないように情報を表示することのできる情報表示システムを提供することを目的とする。
【課題を解決するための手段】
【０００８】
上記目的を達成するため、本発明に係わる情報表示システムにおいては、ハーフミラーと、表示すべき情報を生成する演算処理部と、この演算処理部からの情報を前記ハーフミラーを通して表示する表示部とを有する情報表示システムであって、前記ハーフミラーを背面から覆う遮光手段を備え、前記演算処理部は、背景を黒色又は暗色とし、生成した情報を白色又は前記背景の色に対して明色で表示することを特徴とする。
【０００９】
本発明では、ハーフミラー背面を遮光し、ハーフミラーの背後に取り付けられた表示部に表示出力する際の背景色又は暗色で表示する共に、表示すべき情報を白色又は背景色に対して明色で表示させるので、ハーフミラーの縞模様を目立たなくして、表示品質を向上させることができる。
【００１０】
また、本発明に係わる情報表示システムは、表示部下側の左右端から略中央位置に人感センサを備えると共に、表示部の左右側に操作指示を検知する操作センサを備え、演算処理部は、人感センサからのデータによって人の存在を検知すると表示部への表示出力を実行し、前記操作センサからの入力に基づいて画面の遷移を実行することを特徴とする。
【００１１】
本発明では、人感センサと操作センサを表示部周辺に設け、特に操作センサは、表示部の左右側に設けるようにしたので、操作性の良い情報表示システムを実現することができる。好ましくは、操作センサの検知距離は、人感センサの検知距離よりも短く設定しておくのが良い。これにより、上記操作センサの位置と相俟って、ユーザは、より自然な動作で操作をすることができる。
【００１２】
より好ましくは、人感センサの検知距離と操作センサの検知距離や表示部へ表示すべき情報は体重データ、あるいは体重と体脂肪率などの生体データの組み合わせに基づいて個別に設定可能にすると良い。これにより、ユーザごとに最適な状態での操作と情報の提供を可能にする。  
【００１３】
また、本発明による情報提供システムは、夫々の前記操作センサ近傍にＬＥＤが備えられており、前記操作センサからの操作指令の検知によって、該操作指令に応じた点灯方法で、該操作センサ近傍のＬＥＤを点灯させることを特徴とする。
【００１４】
さらに、本発明による情報提供システムでは、前記ハーフミラーの周囲には略均等になるように、照明用ＬＥＤが設けられており、カメラ撮影モードでは、撮影画像入力の一定時間前に予め撮影画像を前記表示部へ表示する一方、各照明用ＬＥＤの点灯パターンを予め登録しておいて、撮像時には、前記照明用ＬＥＤを選択された点灯パターンで点灯することを特徴とする。これにより、ユーザは、鏡によって確認するよりも、より正確に撮影後の画像を認識することができる。
【００１５】
なお、本発明による情報提供システムの好適な適用例の一つは、洗面化粧台である。したがって、本発明にかかわる洗面化粧台は、上述の各特徴を有する。
【発明の効果】
【００１６】
本発明の情報表示システムによれば、ハーフミラー背面を遮光し、表示部に表示出力する際の背景色又は暗色で表示する共に、表示すべき情報を白色又は背景色に対して明色で表示させるので、表示すべき情報量が増えてもハーフミラーの縞模様を目立たなくして、表示品質を向上させることができる。
【００１７】
また、表示部の左右端側に距離センサ配置し、この表示部の距離センサ位置に操作ボタンを表示し、この距離センサの応答あるいは操作ボタンのタッチ操作によって、画面遷移等の操作指示の入力を可能にし、さらに、操作指示を受け付けたことを距離センサ近傍に配置されたＬＥＤを点灯させることによってユーザに通知するので、操作性の良いシステムを実現することができる。
【００１８】
さらに、入力した体重データあるいは、体重と体脂肪率などの生体データの組み合わせによってユーザを特定し、そのユーザに対応した表示を行うことにより、ユーザごとに有効な情報を提供することができる。
【図面の簡単な説明】
【００１９】
【図１】本発明の実施の形態による情報表示システムの構成図であり、図１（ａ）は、正面図、図１（ｂ）は右側面図である。
【図２】本発明の実施の形態による情報表示システムのハードウェア接続を示すブロック図である。
【図３】図２のブロック間の通信仕様を示す図である。
【図４】図２のサブプロセッサとメインプロセッサとの間の通信のデータフォーマットである。
【図５】本発明の実施の形態による画面遷移の説明図である。
【図６】図５の待ち受け画面の一例を示す図である。
【図７】図５のトップ画面の一例を示す図である。
【図８】図７のトップ画面において詳細情報が表示されている状態を示す図である。
【図９】図７のトップ画面において、天気予報のアイコンがタッチされたときの遷移画面の一例を示す図である。
【図１０】図７のトップ画面において、運勢のアイコンがタッチされたときの遷移画面の一例を示す図である。
【図１１】図５の体重計画面の一例を示す図である。
【図１２】図５のメモ画面の一例を示す図である。
【図１３】図１３のカメラ画面の一例を示す図である。
【図１４】図１３のカメラ画面において、保存されている画像の表示例の説明図である。
【図１５】本発明の実施の形態による演算処理部５０の機能ブロック図である。
【図１６】本発明の実施の形態による表示部上に表示される指示ボタンと、操作センサと操作表示ＬＥＤとの位置関係の説明図である。
【発明を実施するための形態】
【００２０】
以下に本発明に係る情報表示システムの実施の形態を図面に基づいて説明する。本実施の形態では、本発明による情報表示システムを洗面化粧台に適用した例を示す。
【００２１】
図１において、本実施の形態による情報表示システム１は、台８に体重計４０と収納部３０が組み込まれており、台８から支柱７を介して鏡（ハーフミラー）２等を支えるフレーム４が取り付けられている。このフレーム４には、前記鏡２と鏡の背面側に表示部２２が取り付けられている。
【００２２】
表示部２２は、非接触型タッチパネル１３と液晶ディスプレイ１２で構成され、このタッチパネル１３は鏡２と液晶ディスプレイ１２の間に介挿されている。なお、本実施の形態では、鏡２の下半分に表示部２２が位置するように取り付けられているが、表示部２２の位置や鏡２の面積に対する表示部２２の面積は特に限定されない。
【００２３】
また、鏡２の前方には、水道の蛇口５とシンク６が配置されている。体重計４０の上はカバーで覆われており、ユーザの立ち位置がわかるようなデザインが施されている。
【００２４】
表示部２２は、図１（ａ）に示すように、鏡２の左右方向の略中央付近に取り付けられている。
また、フレーム４には、各種センサから入力した信号の入力値やＬＥＤへの出力処理を行うサブプロセッサ１１を含むユニット９が取り付けられ、台８側の収納部３０には、表示部２２へ表示すべき情報を生成するメインプロセッサ３１が収納されている。図２のブロック図に示すように、サブプロセッサ１１とメインプロセッサ３１は、所定のインタフェース（例えばＵＳＢ）の信号線で接続されている。このサブプロセッサ１１と、メインプロセッサ３１は、夫々メモリ（記憶部）を有しており、演算処理部５０を構成する。
【００２５】
なお、メインプロセッサ３１の処理能力によっては、各種センサやＬＥＤへの入出力処理を実行するサブプロセッサ１１を省いて、これらの処理を含めてすべての演算処理をメインプロセッサ３１に実行させるようにしても良いし、逆にさらに複数のプロセッサで分散処理を行うようにしても良い。
【００２６】
演算処理部５０のメインプロセッサ３１は、インターネット網を介して図示しない情報提供用サーバ（以下、外部装置という。）と接続されており、予め設定されたＩＰアドレスから表示用の情報を収集して、この表示部２２へ表示出力する。
【００２７】
外部装置から収集する情報としては、ニュース情報、交通情報、天気予報情報などがある。また、情報表示システム１のサブプロセッサ１１は、体重計４０とシリアル通信で接続されており、予め決められた通信フォーマットでメインプロセッサ３１へ入力した体重データを送信する。メインプロセッサ３１は、受信した体重データを内蔵する記憶部に保存すると共に体重値やそのトレンドを表示部２２へ表示する。
メインプロセッサ３１は、また、周期的に、あるいは情報変化時に外部装置からデータを取得し、そのデータをもとに表示すべき情報を生成して表示部２２へ表示出力する。
【００２８】
なお、入力する生体データとしては、体重データに限らず、体脂肪率、あるいは体温や血圧などを適宜追加してもよい。
【００２９】
表示部２２の下側中央には、人感センサ１５が設けられている。また、表示部の左右端側の上下各２箇所には、操作センサ１６が取り付けられている。なお、これらのセンサは、表示部２２に取り付けても良いし、フレーム４に取り付けるようにしても良い。
【００３０】
表示部２２の上端側中央には、カメラ（撮影手段）１４が取り付けられており、カメラ１４によって撮影された画像は、メインプロセッサ３１へ入力される。
【００３１】
また、鏡２の背面全体を覆うように、鏡背面側から遮光板３が取り付けられている。この遮光板３は、鏡２の背面から光が入らないようにするためのものであるが、少なくともハーフミラーを鏡として機能させる、表示部の周囲所定領域が遮光されておれば良い。
【００３２】
人感センサ１５としては、焦電型赤外線センサ１５ｃを用いることができる。なお、赤外線距離センサ１５ａ，１５ｂと併用するようにしても良い。サブプロセッサ１１は、人感センサ１５によって人の存在を検知／非検知したときに、そのイベント信号をメインプロセッサ３１へ送る。イベント信号と共に、あるいはイベント信号に代えて距離センサ１５ａ，１５ｂからの入力値（距離データ）を送るようにしても良い。
【００３３】
操作センサ１６としては、赤外線距離センサを用いることができる。サブプロセッサ１１は、距離が予め設定された閾値以下になったことを検知したときにＯＮ（論理１）をメインプロセッサに送り、距離が当該閾値よりも大きい場合はＯＦＦ（論理０）をメインプロセッサ３１へ送る。
【００３４】
図３に通信のハードウェア仕様、図４にサブプロセッサとメインプロセッサ間の通信のデータフォーマットを示す。
【００３５】
また、サブプロセッサ１１は、蛇口センサ１７から入力した蛇口の回転角と体重計４０から収集した体重データをメインプロセッサ３１へ、周期的にあるいはメインプロセッサからの要求時に送信する。
【００３６】
図１５は、演算処理部５０の機能ブロック図である。この図において、メインプロセッサ３１は、通信部３５を介してインターネット網などの通信網に繋がる外部装置（図示せず）からデータを収集する情報収集手段５３、表示部２２へ表示出力を行う情報表示手段５４、サブプロセッサ１１から送られてくる人感センサ１５のデータをもとに人の存在を検知して、情報収集手段５３と情報表示手段５４へ通知する人検知手段、表示部２２のタッパネル１３を通して入力される情報からメモデータを生成するメモデータ生成手段５５、装備するカメラ（撮影手段）１４で撮影を行う撮影処理手段５６、サブプロセッサ１１との間で送受信を行う送受信処理手段５１を有している。
【００３７】
一方、サブプロセッサ１１は、メインプロセッサ３１との間で送受信処理を行う送受信処理手段７１、各種センサ１５〜１７のデータを取り込んで、図４に示すデータフォーマットに変換する入力処理手段７２、メインプロセッサ３１から送られてきたデータに基づいて操作指示ＬＥＤ１９と装飾用ＬＥＤ２０を点灯させるための信号を出力する出力処理手段７３を有している。
メインプロセッサ３１の前記各手段５１〜５６、およびサブプロセッサ１１の各手段７１〜７３は、ＣＰＵの機能としてプログラムによって実現可能である。
次に、上記の如く構成された情報表示システム１の動作を説明する。
（人検知処理）
【００３８】
メインプロセッサ３１の人検知手段５２は、サブプロセッサから人感センサ１５によるイベント通知があり、そのときの距離が予め定めた範囲内にある場合は、情報収集手段５３と情報表示手段５４へオン通知を行い、非検出または距離が予め定めた範囲外の場合はオフ通知を行う。
【００３９】
このとき、体重データ（生体データ）ごとに予め収集すべき情報（外部装置のＩＰアドレスやコンテンツの種類）、表示出力内容を予めメインプロセッサ３１の記憶部へ登録しておき、情報収集手段５３や情報表示手段５４は、この登録情報に基づいて、入力した体重データに応じた情報を表示するようにしても良い。
このように、体重データによってユーザ識別を行い、そのユーザに応じた情報を表示することによって利便性が向上する。なお、体重データに加えて、体脂肪率やその他の生体データ６１を用いてユーザ識別を行うようにしても良い。さらに、カメラ１４から入力した撮影画像の顔特徴量も加味して、より精度の高いユーザ識別を行うこともできる。
【００４０】
情報表示手段５４は、人検知手段５２からオン通知があると、表示部２２への表示を待ち受け画面からそのユーザに対応するトップ画面に切り替える。
【００４１】
なお、本実施の形態では、人検知手段５２によって個人識別を行うことで説明するが、個人識別を行わないような場合は、単に人感センサの検知データあるいは所定値以上の体重データが入力されたかのみで人の検出を行うことも勿論可能である。
【００４２】
（情報表示処理）
情報表示手段５４が表示出力するトップ画面は、情報収集手段５３が外部装置から取得した情報をもとに生成した表示用データ（以下、外部取得データ）を表示する領域、システムが記憶部に保存している生体データ等のデータ（以下、記録データ）を表示する領域のほか、画面を遷移させるための指示領域（以下、指示ボタン）などから構成されている。
【００４３】
なお、本実施の形態では、図５に示すような画面遷移で表示するものとする。すなわち、通常は待ち受け画面にしておき、人感センサからのデータによって人検知手段５２が人の存在を検知すると、そのユーザに応じたトップ画面に遷移し、そのトップ画面で表示される画面切替用の指示ボタンあるいはその指示ボタンに対応する操作センサの検知によって他の画面に遷移する。そして、人検知手段５２が一定時間人の存在を検知しないと待ち受け画面に戻る。なお、人の存在を検知しないときは、待ち受け画面の表示に代えて、表示部２２の電源をオフにしておき、人検知手段５２が人の存在を検知すると、表示部の２２の電源をオンにしてトップ画面を表示し、一方、一定時間人の存在を検知しないときは、表示部２２の電源をオフにするようにしても良い。
【００４４】
（１）取得データの表示
情報取得手段５３は、インターネット網を介して外部装置からテキストデータで取得データを得る。そして、情報表示手段５４は、この取得データを予め設定されている背景色（黒色）と明確に異なる色（たとえば白色、黄色、赤色など）で表示する。なお、背景色は、黒色が好ましいが、背景のみを表示したときにハーフミラーの縞模様が視認されない程度の輝度値の暗色ならば良い。そして、表示すべきデータは、背景色に対して相対的に輝度値の高い明色で表示する。
【００４５】
外部取得データは、情報変化時、または周期的に外部装置から入力され記憶部に保存されているデータを用いて情報表示手段５４によって生成され、表示更新される。また、表示される情報は階層構造になっており、鏡面上のタップ操作を非接触型のタッチパネル１３が検知して、順次詳細情報が表示される。
【００４６】
たとえば、図７のトップ画面の例では、Ａ領域の情報は、階層構造になっており、タップ操作によって、さらに詳しい情報が表示されるようになっている。このようにさらに詳しい情報が表示可能な場合は、その上位の情報は、タップ可能なように所定の枠を表示するなど、タップ可能であることを示す情報と共に表示する。これによりユーザは、詳細情報の存在を認識でき、その枠をタップすることによって、詳細情報を表示させることができる。
【００４７】
また、複数の上位の項目が表示されている場合は、どの項目が選択されているかが分かるように、タップされた項目は、他の項目と区別できるように色、模様、枠形状などのデザインが変わるようになっている。
【００４８】
本実施例は、階層構造を有する情報として、複数のニュースデータをインターネット網から取得し、上位項目であるニュースタイトルを所定件数（たとえば５件）ずつ表示する。ニュースタイトルは文字数が所定数（例えば１６文字）以上の場合は、所定数以上の部分は切り捨てて、「・・・」というように切り捨てられたことがわかるように表示する。  ニュースタイトルをタップすると、画面中央にニュースの詳細が表示されるようになっている。
【００４９】
ニュースタイトルは、所定時間（たとえば３０秒）経過すると、次の所定数に切り替えられる。外部装置との通信結果は３０分キャッシュとするなど、記憶部に一定量の外部取得データ６２を保存しておくと良い。
【００５０】
ニュースの詳細情報は、図８のトップ画面に示すように、画面中央にポップアップ表示され、上下スクロールによって詳細情報の全部が表示されるようになる。また、詳細情報表示領域の右上の「×」ボタンのタップを検知して、ポップアップ画面が閉じる。
【００５１】
非階層構造の情報として、例えば、図７のＢ領域に示す交通機関の遅延情報の例である。２件の電車遅延情報、１件の航空機遅延情報が表示される。
【００５２】
路線名によって、改行され、運行情報およびカッコ内の情報配信時刻は、路線名とは異なる色で表示される。また、平常どおりの運転と、運行に異常のある場合で異なる色になっている。
【００５３】
路線名と運行情報は、それぞれ所定の文字数（例えば１００字）までとなっており、それ以上は切り捨てられて表示される。なお、切り捨て表示された場合は、全情報にリンク付けをして、タップ操作によって全情報がポップアップ表示されるようにしても良い。また、所定時間（例えば３０秒）で次の運行情報に切り替わるようにすると良い。
【００５４】
図１６に示すように、画面切替用の指示ボタン７０は、画面横角に矢印が表示され、その先に操作センサ１６が取り付けられている。この矢印付近にユーザが手をかざすと、操作センサ１６がこれを検知して、サブプロセッサ１１の送受信処理手段７１は、対応する操作指示ＬＥＤ１９を点灯すると共に、検知した操作センサの識別情報（コマンド）をメインプロセッサ３１に伝える。メインプロセッサ３１の情報表示手段５４は、対応する機能（画面の遷移や対応する手段の機動）を実行し、その機能に対応する画面を表示部２２へ表示する。
【００５５】
本実施の形態では、操作センサ１６が検知した場合の他、画面切替用の指示ボタン７０がタッチされたことを情報表示手段５４が検知しても切替を行う。
【００５６】
すなわち、情報表示手段５４は、操作センサ１６の検知または画面切替用の指示ボタン７０のタップ操作の検知によって、この指示ボタン７０が選択されたことを検知すると、画面遷移中フラグがセットされているか否かを判定し、セットされている場合は画面遷移を中止し、セットされていない場合は、画面遷移中フラグをセットすると共に当該切替ボタンが切り替え中であることを示すように画面上識別表示し、その後、画面遷移を実行する。これにより、操作センサ１６の検知または指示ボタンのタップ操作の検知の両方から画面遷移を行うようにしたときの、両信号間のインターロックを確実にとることができる。
【００５７】
なお、画面遷移中フラグは、画面遷移後、一定時間（例えば数秒）経過後にリセットするか、あるいは、操作センサ１６からの入力信号が一旦オフになることによってリセットするようにすると良い。なお、画面遷移中フラグは、待ち受け画面のときは初期状態としてリセットしておくものとする。
【００５８】
これにより操作センサ１６によって画面切替を行ったときに、連続して画面が遷移してしまう現象を防止することができ、操作センサとタッチパネル上の指示ボタンのタップの両方によって操作できるので利便性が向上する。
【００５９】
ちなみに、表示部２２の画面に表示される指示ボタン７０と、操作センサ１６と操作指示ＬＥＤ１９との位置関係は、図１６に示すように、表示部の上下左右の四隅に指示ボタンを表示すると共に、表示部２２の左右端に操作センサと操作指示ＬＥＤを備えるようにすると良い。また、指示ボタン，操作センサ，操作指示ＬＥＤの組み合わせを追加するときは、まず左右側（図１６中Ｋ，Ｌの位置）に追加していくのが好ましい。なお、四隅ならば、上下方向に操作センサ，操作指示ＬＥＤを設けて指示ボタンの矢印を操作センサ側を指すようにしても実用性はある。
【００６０】
（外部取得データ表示の他の実施例）
外部装置から取得するテキストデータに色情報が含まれているような場合は、輝度値を変換する機能などを設けるようにしても良い。
【００６１】
たとえば、色情報をＹＣｒＣｂ値で表して、輝度が一定値以上になるようにＹ値を補正して、表示情報を表示部２２へ出力する。あるいは、背景色の輝度値を基準にして、一定値あるいは一定の範囲で表示情報の輝度を高くするようにしても良い。これにより、外部取得データの色分けを活かすと共に、外部取得データがどのような色であっても、黒色背景に対して明確に区別できる色で表示出力をすることができる。
【００６２】
（２）水利用量等の表示
蛇口センサ１７から、過去（例えば前日）の水利用量、その日現在間での水利用量を表示する。水道の蛇口を捻っている量（即ち蛇口の回転角）とその角度の継続時間に予め設定されているパラメータを掛け合わせることによって、水量を算出して、図７の表示領域ｃに表示出力する。
【００６３】
また、回転角に連動して棒グラフの点灯状態を遷移することによって、ユーザは水の利用量を意識することができる。
【００６４】
なお、別に温度センサあるいは蛇口の角度によって水温が異なる場合は、角度センサによって、水温データを収集して、水温も表示するようにしても良い。
【００６５】
（３）天気情報の表示
情報表示手段５４は、その日の天気を表示領域Ｄにアイコンで表示する。情報表示手段５４は、このアイコンがタップされるのを検知すると、図９に示すようにモーダルで週間天気予報を表示する。
【００６６】
（４）その日の運勢表示
情報表示手段５４は、その日の運勢の順位を表示領域Ｅに表示する。情報表示手段は、運勢のアイコンがタップされるのを検知すると、図１０に示すようにモーダルで１位から１２位までを表示する。運勢情報は、外部装置から取得しても良いし、システムで生成するようにしても良い。
【００６７】
（５）時刻等の表示
システムの時計機能の備える年月日、曜日、時刻を表示図７の領域Ｆに表示する。たとえば、時刻の「：」を１秒おきに点滅することによって、時計機能が正常に動作していることを示す。
【００６８】
（６）広告情報の表示
情報表示手段は、図７に示すトップ画面中の表示領域Ｇに表示される広告を、一定周期（たとえば３０秒）ごとに切り替える。情報表示手段は、閉じるボタン「×」のマークがタップされるのを検知すると広告を一旦消去するが、次の広告の表示タイミングになると、新たに広告を表示する。広告情報は画像広告と動画広告の２種類に対応する。
【００６９】
なお、広告情報は、システムに保存しておいても良いし、外部装置から取得するようにしても良い。外部装置から取得する場合は、広告情報表示領域を背景色と明確に異なる色の枠（たとえば白色）で区分けするようにすると良い。
【００７０】
（生体データ表示処理）
情報表示手段５４は、図１１に示すように体重計から取得した最新の体重データを表示すると共に、記憶部に保存されている体重データ６１のトレンドを表示する。
【００７１】
（メモ機能）
メモデータ生成手段５５は、図１２に示すメモ入力画面を表示部２２へ表示して入力を促す。メモデータ生成手段５５は、ユーザのタッチ操作を検知して、タッチされたメモ入力領域Ｈ上の位置を記憶部に保存する。
【００７２】
メモデータ生成手段５５は、一定時間タッチ検出をしなかったときは、その時点のメモデータ６３を記憶部に保存する。メモデータとしては、ビットマップ等の画像データであっても良いし、文字を構成する点や線の始点と終点の座標や文字色を含むデータであっても良い。
【００７３】
タッチパネル１３が指の接触を検知すると、情報表示手段５４は、その検知した領域を事前に選択された文字色で表示出力する。
【００７４】
メモデータ生成手段５５は、タッチパネル１３へのタッチを検知しない時間（非検知時間）が一定時間内の場合は、同一文字の入力とみなし、次のタッチ検知を待ち、非検知時間が一定時間を超えると、その文字の入力が終了したものとみなして、そのときの文字データを一文字（一入力単位）として記憶部のメモＩＤに対応するメモ領域に入力単位ごとに順にリンク付けして登録する。
【００７５】
そして、メモデータ生成手段５５は、サムネイル表示領域Ｊに、メモ領域内の入力された手書きの文字を合成したサムネイルを表示する。すなわち、入力画面には、一入力単位で入力され、入力された情報が文字の場合には、サムネイル領域Ｊにその文字が連続した文章として表示される。もちろん、当該メモ機能によって入力された情報を文字認識せずに画像データとして扱うことによって、画像を含めたメモとして残すことができる。
【００７６】
また、サムネイル領域の下には、空白挿入、改行、一文字削除（バックスペース）の機能の各ボタンが配置されている。空白挿入、改行、一文字削除には、それぞれ識別コードが対応付けられており、メモデータ生成手段５５は、選択された識別コードを記憶部の当該メモ領域６３に保存する。
【００７７】
たとえば、メモデータ生成手段５５は、空白挿入が選択されたときは、メモ領域内の順に関連付けられている入力単位の一文字分スキップして表示し、改行が選択された場合は、サムネイル領域Ｊ内の次の行に表示し、一文字削除が選択された場合は、その文字は表示せず、順に詰めて表示する。なお、一文字削除の場合は、一文字削除コードをメモ領域に保存することに替えて、最終の入力文字から順にリンクをはずし、新たに入力された文字へリンクを張りなおすようにしても良い。
【００７８】
（伝言機能）
メモデータ生成手段５５によって生成されたメモデータを、指定したユーザに伝える機能である。
【００７９】
メモデータ生成手段５５は、メモ領域に、メモ作成者と伝言先の識別情報を入力したメモデータに関連付けて保存しておく。そして、人検知手段５２が、体重等によって、個人認証を行った結果、伝言先の識別情報と一致した場合、情報表示手段５４はそのＴＯＰ画面に、伝言がある旨を表示出力する。ユーザは、トップ画面に伝言がある旨の表示があるとと、伝言画面に遷移して伝言を確認する。なお、直ちにトップ画面に、伝言を表示するようにしても良い。
【００８０】
（撮影機能）
ＷＥＢカメラで撮影する機能である。
ユーザが操作センサ１６に手をかざすと、撮影処理手段５６がこれを検知して、対応するＬＥＤを一定時間点灯させる。そして、図１３に示すようにカウントダウン情報を表示部２２に表示する。
【００８１】
また、撮影処理手段５６は、撮影画像取得時は、鏡周囲の装飾用ＬＥＤ２０を点灯する。このとき、撮影画像取得タイミングの所定時間前から所定時間後まで表示部２２へ撮影画像を表示する。これによりユーザは、鏡に映った画像で確認するよりも、より正確に撮影画像を確認することができる。また、メインプロセッサ３１の記憶部にはユーザ端末や外部装置など外部から入力した画像データ６４が保存されており、カメラモードの画面に遷移したときには、保存されている画像のサムネイル画像が一覧表示され、選択した画像が拡大表示される。
【００８２】
（生体データの保存とダウンロード）
生体データ６１を、インターネットを通して所定のサーバへ送信し保存する。そして、ユーザ端末（図示せず）から要求の有った時に、当該ユーザ端末へ送信する。
【００８３】
なお、ユーザ端末としては、例えば、携帯電話、携帯情報端末、ＰＤＡ（Ｐｅｒｓｏｎａｌ Ｄｉｇｉｔａｌ Ａｓｓｉｓｔａｎｔ）、スマートフォンなどの携帯端末を用いることができる。
【００８４】
（個人認証の他の実施例）
個人認証としては、上述した体重データ等の生体データに代えて、ユーザ端末の認証コードであっても良い。このようにすれば、情報表示システム１での個人認証と、ユーザ端末への生体データのダウンロード時の個人認証を、ユーザ端末の認証コードで行うことができるので利便性が向上する。
【００８５】
以上、本実施の形態によれば、ハーフミラーを備えた洗面台に対して、ハーフミラーの中央または中央下部にタッチパネルを供えた表示部を配置し、その表示部の周囲に人感センサと操作センサを配置する。このとき人感センサを表示部の略中央下側に配置し、操作センサを表示部の左右側（左側、右側、または左右両側）に配置するので、操作性の良い情報表示システムを実現することができる。
【００８６】
たとえば、人感センサ表示部の上側に配置すると子供など、身長の低いユーザには反応しない場合があり、また、操作をする際に通常ユーザは手のひらをかざす動作をするので、操作センサを中央下部に配置すると、手の平をかざすことが難しくなる場合がある。本実施の形態による各種センサの配置により、より広いユーザ層に対して操作性良く利用可能になる。
【００８７】
また、表示部に情報を表示する際の背景を黒色または暗色とし、情報を白色または背景色に対して相対的に明色とすることよって、鏡の縞模様が浮かび上がるのを抑制することができ。より快適な利用を可能にすると共に、安価な鏡を使用することができ低コスト化を実現することができる。背景色を表示情報の色に対して相対的に暗色を用い、表示情報の色は背景色に対して相対的に明色を用いることによって、縞模様の抑制効果を奏することができる。
【００８８】
さらに、体重から個人識別を行い、その個人の生体データを表示したり、メモ機能によって、伝言先のユーザが利用したときにその鏡にメモを表示をすることによって、より快適な生活を提供できる情報表示システムを実現することができる。
【００８９】
なお、体重に加えて体脂肪率などのデータを収集して、これらのデータも個人識別に用いるようにしても良い。
【産業上の利用可能性】
【００９０】
本発明による情報表示システムは洗面化粧台などに適用することができる。
【符号の説明】
【００９１】
１    情報表示システム
２    鏡（ハーフミラー）
３    遮光板
４    フレーム
５    蛇口
６    シンク
７    支柱
８    台
９    ユニット
１１    サブプロセッサ
１２    液晶ディスプレイ
１３    非接触型タッチパネル
１３    タッチパネル
１４    カメラ
１５    人感センサ
１５ａ，１５ｂ    赤外線距離センサ
１５ａ，１５ｂ    距離センサ
１５ｃ    焦電型赤外線センサ
１６    操作センサ
１７    蛇口センサ
２２    表示部
３０    収納部
３１    メインプロセッサ
４０    体重計
５０    演算処理部
５１，７１  送受信処理手段
５２      人検知手段
５３      情報収集手段
５４      情報表示手段
５５      メモデータ生成手段
５６      撮影処理手段
７１      入力処理手段
７２      出力処理手段
【図１】
0005952075.tif 000002
【図５】
0005952075.tif 000003
【図１５】
0005952075.tif 000004
【図２】
0005952075.tif 000005
【図３】
0005952075.tif 000006
【図４】
0005952075.tif 000007
【図６】
0005952075.tif 000008
【図７】
0005952075.tif 000009
【図８】
0005952075.tif 000010
【図９】
0005952075.tif 000011
【図１０】
0005952075.tif 000012
【図１１】
0005952075.tif 000013
【図１２】
0005952075.tif 000014
【図１３】
0005952075.tif 000015
【図１４】
0005952075.tif 000016
【図１６】
0005952075.tif 000017